(57)【要約】【課題】製造工程において外殻体に挿入した部材の飛び出しを懸念する必要がない電磁弁に関し、部品点数を削減することができるとともに、スリーブやスプールの長さを抑制しても製造工程においてコイルスプリングをガイドすることができる構造を提供する。【解決手段】電磁弁は、スリーブの内部でコイルスプリングの軸方向一端を支持する支持部材８を備える。また、支持部材８では、基部２７において内周縁２７ａから外周縁２７ｂに達する切れ込み２９ａと、突出部２８において内周面２８ａから外周面２８ｂに達する切れ込み２９ｂとが軸方向に一続きに設けられている。そして、支持部材８は、一続きに設けられた切れ込み２９ａ、２９ｂを併せた第１切れ込み２９により周方向に弾性を具備する。【選択図】図３
2012225429.tif 000002
【特許請求の範囲】
【請求項１】
流体の流出入口である複数のポートが形成された筒状のスリーブと、
このスリーブの内部で軸方向へ摺動自在に支持されて前記複数のポート間の連通状態を可変するスプールと、
前記スリーブおよび前記スプールの軸方向他端側で前記スプールと同軸的に配置され、通電により磁束を発生するコイルと、
このコイルの内周側に配置され、前記コイルが発生する磁束により軸方向一端側に吸引されて前記スプールを軸方向一端側に駆動する可動鉄心と、
前記スリーブの内部で前記スプールの軸方向一端側にセットされ、前記スプールを軸方向他端側に付勢するコイルスプリングと、
前記スリーブの内部で前記コイルスプリングの軸方向一端側に配置されて前記コイルスプリングの軸方向一端を支持する支持部材とを備え、
この支持部材は、円環状の基部と、前記基部の内周縁を包囲するように前記基部から軸方向他端側に突出して前記コイルスプリングの軸方向一端側の内周に嵌まる筒状の突出部とを有し、
さらに、前記支持部材では、前記基部において内周縁から外周縁に達する切れ込みと、前記突出部において内周面から外周面に達する切れ込みとが軸方向に一続きに設けられ、
一続きに設けられた２つの前記切れ込みを併せて第１切れ込みと定義すれば、前記支持部材は、前記第１切れ込みにより周方向に弾性を具備することを特徴とする電磁弁。
【請求項２】
請求項１に記載の電磁弁において、
前記スプールの軸方向一端には、軸方向一端側に開口する凹部が設けられ、
前記コイルスプリングの軸方向他端は前記凹部の内側に嵌まっていることを特徴とする電磁弁。
【請求項３】
請求項１に記載の電磁弁において、
前記スプールの軸方向一端には、軸方向一端側に突出する凸部が設けられ、
この凸部は、前記コイルスプリングの軸方向他端側の内周に嵌まっていることを特徴とする電磁弁。
【請求項４】
請求項１ないし請求項３の内のいずれか１つに記載の電磁弁において、
前記突出部には前記コイルスプリングを引っ掛ける突起が設けられていることを特徴とする電磁弁。
【請求項５】
請求項１ないし請求項４の内のいずれか１つに記載の電磁弁において、
前記第１切れ込みとは別に、前記基部において内周縁から外周縁に達することなく外周に広がる切れ込みと、前記突出部において内周面から外周面に達する切れ込みとが軸方向に一続きに設けられ、
前記第１切れ込みとは別に、一続きに設けられた２つの前記切れ込みを併せて第２切れ込みと定義すれば、
この第２切れ込みは２つ以上設けられていることを特徴とする電磁弁。
【発明の詳細な説明】
【技術分野】
【０００１】
本発明は、電磁弁に関するものである。
【背景技術】
【０００２】
従来から、以下のような構成を備える電磁弁が周知となっており、例えば、可変バルブタイミング機構や自動変速機における油圧供給先の切替等に利用されている。
【０００３】
すなわち、従来の電磁弁は、流体の流出入口である複数のポートが形成されたスリーブと、スリーブの内部で軸方向へ摺動自在に支持されて複数のポート間の連通状態を可変するスプールと、スリーブおよびスプールの軸方向他端側でスプールと同軸的に配置され、通電により磁束を発生するコイルと、コイルの内周側に配置され、コイルが発生する磁束により軸方向一端側に吸引されてスプールを軸方向一端側に駆動する可動鉄心と、スリーブの内部でスプールの軸方向一端側にセットされ、スプールを軸方向他端側に付勢するコイルスプリングとを備える（例えば、特許文献１、２参照）。
【０００４】
ところで、特許文献１の電磁弁によれば、スリーブは軸方向一端に底部を有する有底筒状に設けられ、スリーブの底部は、コイルスプリングの軸方向一端を支持する支持座として機能するとともに、軸方向一端側に駆動されたスプールに対するストッパとして機能する。
また、特許文献２の電磁弁によれば、スリーブは軸方向両端が開放されている筒状に設けられ、スリーブの軸方向一端に、コイルスプリングの支持座およびスプールに対するストッパとして機能するリテーナが配置されている。
【０００５】
しかし、特許文献１の電磁弁のように、有底筒状のスリーブを用いてスリーブの底部をコイルスプリングの支持座およびスプールに対するストッパとして機能させる場合、以下の点で製造工程が煩雑になる。
【０００６】
すなわち、特許文献１の電磁弁によれば、例えば、電磁弁の外殻体としてのスリーブ内にコイルスプリングやスプール等の部材を順次に挿入してバルブ部を組み立て、バルブ部とは別に、電磁弁の外殻体としてのヨーク内にコイルや可動鉄心等の部材を順次に挿入してソレノイド部を組み立てる。
【０００７】
そして、最後に、スリーブにおける部材挿入側の開口縁と、ヨークにおける部材挿入側の開口縁とを突き合わせ、スリーブにヨークをかしめて固定させる。このため、開口縁同士を突き合わせてかしめを行なう過程で、一旦、スリーブ内やヨーク内に挿入した部材がスリーブ外やヨーク外に飛び出さないように工夫する必要がある。
【０００８】
これに対し、特許文献２の電磁弁によれば、例えば、ソレノイド部を組み立てた後にヨークにスリーブをかしめて固定し、その後、スリーブ内にスプール、コイルスプリングやリテーナ等を挿入し、最後にスナップリングをスリーブに装着して、挿入した部材の飛び出しを防止している。このため、特許文献１の電磁弁に比べ、製造工程において、一旦挿入した部材の飛び出しをさほど懸念する必要がないので、製造工程を簡素化できる。
【０００９】
しかし、特許文献２の電磁弁によれば、特許文献１の電磁弁に比べて、リテーナおよびスナップリングの２部品が追加的に必要となり、部品点数が増加してしまう。
また、特許文献２の電磁弁によれば、コイルスプリングを圧縮しながら組立てを行なう必要があり、圧縮の際にコイルスプリングをガイドするために、例えば、スリーブやスプールを長くする必要がある。さらに、スリーブやスプールを長くするのを避けてコイルスプリングをガイドせずに圧縮すると、コイルスプリングは、座屈等により姿勢が悪い状態でセットされる虞がある。
【先行技術文献】
【特許文献】
【００１０】
【特許文献１】特開２００７−３１５５５７号公報
【特許文献２】特開平１１−００２３５４号公報
【発明の概要】
【発明が解決しようとする課題】
【００１１】
本発明は、上記の問題点を解決するためになされたものであり、その目的は、製造工程でスリーブ内やヨーク内に挿入した部材の飛び出しを懸念する必要がない態様の電磁弁において、部品点数を削減すること、および、スリーブやスプールの長さを抑制しても製造工程でコイルスプリングをガイドすることができる構造を提供することにある。
【課題を解決するための手段】
【００１２】
〔請求項１の手段〕
請求項１の手段によれば、電磁弁は、流体の流出入口である複数のポートが形成された筒状のスリーブと、スリーブの内部で軸方向へ摺動自在に支持されて複数のポート間の連通状態を可変するスプールと、スリーブおよびスプールの軸方向他端側でスプールと同軸的に配置され、通電により磁束を発生するコイルと、コイルの内周側に配置され、コイルが発生する磁束により軸方向一端側に吸引されてスプールを軸方向一端側に駆動する可動鉄心と、スリーブの内部でスプールの軸方向一端側にセットされ、スプールを軸方向他端側に付勢するコイルスプリングと、スリーブの内部でコイルスプリングの軸方向一端側に配置されてコイルスプリングの軸方向一端を支持する支持部材とを備える。
【００１３】
また、支持部材は、円環状の基部と、基部の内周縁を包囲するように基部から軸方向他端側に突出してコイルスプリングの軸方向一端側の内周に嵌まる筒状の突出部とを有する。さらに、支持部材では、基部において内周縁から外周縁に達する切れ込みと、突出部において内周面から外周面に達する切れ込みとが軸方向に一続きに設けられている。そして、一続きに設けられた２つの切れ込みを併せて第１切れ込みと定義すれば、支持部材は、第１切れ込みにより周方向に弾性を具備する。
【００１４】
これにより、支持部材を、コイルスプリングの支持座およびスプールに対するストッパとして機能させることができるとともに、スプール等の飛び出しを防止するために装着されるスナップリングとして機能させることができる。このため、例えば、特許文献２の電磁弁で必要とされたリテーナおよびスナップリングの２部品の機能を１部品で果たすことができるので、部品点数を削減することができる。
【００１５】
また、支持部材の突出部をコイルスプリングの軸方向一端側の内周に嵌めることで、コイルスプリングを内周側でガイドすることができる。このため、スリーブやスプールをさほど長くしなくても、コイルスプリングをガイドして座屈等の虞を低減することができるので、スリーブやスプールの長さを抑制することができる。
【００１６】
以上により、製造工程でスリーブ内やヨーク内に挿入した部材の飛び出しを懸念する必要がない態様の電磁弁において、部品点数を削減することができるとともに、スリーブやスプールの長さを抑制しても製造工程でコイルスプリングをガイドすることができる。
【００１７】
〔請求項２の手段〕
請求項２の手段によれば、スプールの軸方向一端には、軸方向一端側に開口する凹部が設けられ、コイルスプリングの軸方向他端は凹部の内側に嵌まっている。
これにより、コイルスプリングを軸方向他端側において外周側でガイドすることができる。このため、コイルスプリングを内、外周の両側でガイドすることができるので、さらに座屈等の虞を低減することができる。
【００１８】
〔請求項３の手段〕
請求項３の手段によれば、スプールの軸方向一端には、軸方向一端側に突出する凸部が設けられ、凸部は、コイルスプリングの軸方向他端側の内周に嵌まっている。
これにより、支持部材をスプールに対するストッパとして機能させる場合、軸方向に厚みを有する突出部によりスプールの当接を受けることができる。このため、支持部材の強度確保が容易になる。
【００１９】
〔請求項４の手段〕
請求項４の手段によれば、突出部にはコイルスプリングを引っ掛ける突起が設けられている。
これにより、コイルスプリングが支持部材から脱落する虞を低減することができるので、電磁弁の組み立てをより確実に行なうことができる。
【００２０】
〔請求項５の手段〕
請求項５の手段によれば、第１切れ込みとは別に、基部において内周縁から外周縁に達することなく外周に広がる切れ込みと、突出部において内周面から外周面に達する切れ込みとが軸方向に一続きに設けられている。そして、第１切れ込みとは別に、一続きに設けられた２つの切れ込みを併せて第２切れ込みと定義すれば、第２切れ込みは２つ以上設けられている。
これにより、突出部によるコイルスプリングのガイドを、周方向に分散して均等化することができるので、コイルスプリングをより安定してガイドすることができる。
【図面の簡単な説明】
【００２１】
【図１】電磁弁の全体構成図である（実施例１）。
【図２】電磁弁の要部構成図である（実施例１）。
【図３】（ａ）は支持部材の平面図であり、（ｂ）は（ａ）のＡ−Ａ断面図であり、（ｃ）は（ａ）のＢ−Ｂ断面図であり、（ｄ）は（ａ）のＣ−Ｃ断面図である（実施例１）。
【図４】電磁弁の要部構成図である（実施例２）。
【図５】電磁弁の要部構成図である（実施例３）。
【図６】支持部材の平面図である（変形例）。
【図７】支持部材の平面図である（変形例）。
【発明を実施するための形態】
【００２２】
実施形態１の電磁弁は、流体の流出入口である複数のポートが形成された筒状のスリーブと、スリーブの内部で軸方向へ摺動自在に支持されて複数のポート間の連通状態を可変するスプールと、スリーブおよびスプールの軸方向他端側でスプールと同軸的に配置され、通電により磁束を発生するコイルと、コイルの内周側に配置され、コイルが発生する磁束により軸方向一端側に吸引されてスプールを軸方向一端側に駆動する可動鉄心と、スリーブの内部でスプールの軸方向一端側にセットされ、スプールを軸方向他端側に付勢するコイルスプリングと、スリーブの内部でコイルスプリングの軸方向一端側に配置されてコイルスプリングの軸方向一端を支持する支持部材とを備える。
【００２３】
また、支持部材は、円環状の基部と、基部の内周縁を包囲するように基部から軸方向他端側に突出してコイルスプリングの軸方向一端側の内周に嵌まる筒状の突出部とを有する。さらに、支持部材では、基部において内周縁から外周縁に達する切れ込みと、突出部において内周面から外周面に達する切れ込みとが軸方向に一続きに設けられている。そして、一続きに設けられた２つの切れ込みを併せて第１切れ込みと定義すれば、支持部材は、第１切れ込みにより周方向に弾性を具備する。
【００２４】
また、スプールの軸方向一端には、軸方向一端側に開口する凹部が設けられ、コイルスプリングの軸方向他端は凹部の内側に嵌まっている。
さらに、第１切れ込みとは別に、基部において内周縁から外周縁に達することなく外周に広がる切れ込みと、突出部において内周面から外周面に達する切れ込みとが軸方向に一続きに設けられている。そして、第１切れ込みとは別に、一続きに設けられた２つの切れ込みを併せて第２切れ込みと定義すれば、第２切れ込みは２つ以上設けられている。
【００２５】
実施形態２の電磁弁によれば、スプールの軸方向一端には、軸方向一端側に突出する凸部が設けられ、凸部は、コイルスプリングの軸方向他端側の内周に嵌まっている。
実施形態３の電磁弁によれば、突出部にはコイルスプリングを引っ掛ける突起が設けられている。
【実施例】
【００２６】
〔実施例１の構成〕
実施例１の電磁弁１の構成を、図１〜図３に基づいて説明する。
電磁弁１は、流体の流出入口である複数のポート２が形成された筒状のスリーブ３と、スリーブ３の内部で軸方向へ摺動自在に支持されて複数のポート２間の連通状態を可変するスプール４と、スリーブ３およびスプール４の軸方向他端側でスプール４と同軸的に配置され、通電により磁束を発生するコイル５と、コイル５の内周側に配置され、コイル５が発生する磁束により軸方向一端側に吸引されてスプール４を軸方向一端側に駆動する可動鉄心６と、スリーブ３の内部でスプール４の軸方向一端側にセットされ、スプール４を軸方向他端側に付勢するコイルスプリング７と、スリーブ３の内部でコイルスプリング７の軸方向一端側に配置されてコイルスプリング７の軸方向一端を支持する支持部材８とを備える。
【００２７】
また、電磁弁１では、スリーブ３、スプール４、コイルスプリング７および支持部材８等により流体の流路切り替え等を行う弁部１０が構成され、コイル５および可動鉄心６等により弁部１０を動作させるための駆動力を発生するソレノイド部１１が構成されている。そして、電磁弁１は、例えば、可変バルブタイミング機構や自動変速機における油圧供給先の切替に利用されている。
【００２８】
スリーブ３は、例えば、５つのポート２（以下、ポート２を軸方向一端から他端側に、順次、ポート２ａ、２ｂ、２ｃ、２ｄ、２ｅと呼ぶことがある。）が軸方向に並ぶように設けられている。また、スリーブ３の内周面には、ポート２ａの軸方向一端側、ポート２ａ、２ｂの間、ポート２ｂ、２ｃの間、ポート２ｃ、２ｄの間、ポート２ｄ、２ｅの間、および、ポート２ｅの軸方向他端側に、それぞれ、スプール４の摺接を受ける円筒状の摺接面１２ａ、１２ｂ、１２ｃ、１２ｄ、１２ｅ、１２ｆが設けられている。
【００２９】
また、スリーブ３は、軸方向両端が開放されている略円筒状に設けられ、スリーブ３の内部の軸方向一端は支持部材８により区画されている。また、スリーブ３の軸方向他端にはヨーク１３がかしめ固定されており、スリーブ３の内部の軸方向他端はソレノイド部１１により封鎖されている。
【００３０】
スプール４は、例えば、軸方向に並ぶ４つのランド部（以下、４つのランド部を軸方向一端から他端側に、順次、ランド部１４ａ、１４ｂ、１４ｃ、１４ｄと呼ぶ。）を有している。そして、ランド部１４ａは、摺接面１２ａに摺接してスリーブ３の内部における流体の流動領域を軸方向一端側で封鎖する。また、ランド部１４ｄは、摺接面１２ｆに摺接してスリーブ３の内部における流体の流動領域を軸方向他端側で封鎖する。
【００３１】
また、ランド部１４ｂは、摺接面１２ｂおよび摺接面１２ｃの少なくとも一方に摺接し、摺接面１２ｂに摺接してポート２ｂ、２ｃ間が連通している状態と、摺接面１２ｃに摺接してポート２ａ、２ｂ間が連通している状態とを切り替える。
また、ランド部１４ｃは、摺接面１２ｄおよび摺接面１２ｅの少なくとも一方に摺接し、摺接面１２ｅに摺接してポート２ｃ、２ｄ間が連通している状態と、摺接面１２ｄに摺接してポート２ｄ、２ｅ間が連通している状態とを切り替える。
なお、ランド部１４ｄの軸方向他端には、可動鉄心６に当接する当接部１５が設けられている。
【００３２】
コイル５は、コイルボビン１７に巻回されており、ターミナル１８を介して電源から給電される。
可動鉄心６は、コイルボビン１７の内周側に配置される非磁性のカップ１９内に収容され、カップ１９の内周面に摺動しながら軸方向に移動する。また、可動鉄心６の軸方向一端面にスプール４の当接部１５が当接している。
【００３３】
また、可動鉄心６の軸方向一端側ではカップ１９の外周側に固定鉄心２０が配置され、可動鉄心６の外周側ではコイルボビン１７とカップ１９との間に磁性材からなる筒体２１が配置され、コイル５の外周側には筒状のヨーク１３が配置されている。さらに、ヨーク１３に設けられた段部と固定鉄心２０との間には、電磁弁１を自動変速機等に取り付けるためのブラケット２２が挟まっており、ブラケット２２は、磁性材により設けられている。
【００３４】
このため、コイル５に通電が行なわれると、可動鉄心６、固定鉄心２０、ブラケット２２、ヨーク１３および筒体２１を通る磁束が発生し、この磁束により、可動鉄心６が軸方向一端側に吸引されてスプール４を軸方向一端側に移動させる。
なお、可動鉄心６には呼吸孔（図示せず）が設けられており、可動鉄心６の軸方向一端側と他端側との間で気体の流出入が可能となっている。そして、可動鉄心６の軸方向一端側と他端側との間で気体の流出入が可能となることで、可動鉄心６が円滑に軸方向に移動することができる。
【００３５】
コイルスプリング７は、スリーブ３の内部において支持部材８とスプール４との間で軸方向にセットされている。ここで、スプール４の軸方向一端を占めるランド部１４ａには、軸方向一端側に開口する凹部２４が設けられ、コイルスプリング７の軸方向他端は凹部２４の内側に嵌まっている。
【００３６】
支持部材８は、スリーブ３の内周に設けられた環状の溝２５に嵌まっている。また、支持部材８は、円環板状の基部２７と、基部２７の内周縁２７ａを包囲するように基部２７から軸方向他端側に突出してコイルスプリング７の軸方向一端側の内周に嵌まる筒状の突出部２８とを有する。さらに、支持部材８では、基部２７において内周縁２７ａから外周縁２７ｂに達する切れ込み２９ａと、突出部２８において内周面２８ａから外周面２８ｂに達する切れ込み２９ｂとが軸方向に一続きに設けられている（以下、一続きに設けられた切れ込み２９ａ、２９ｂを併せて第１切れ込み２９と呼ぶことがある。）。そして、支持部材８の全体が第１切れ込み２９の存在により周方向に弾性を具備する。
【００３７】
これにより、支持部材８は、スナップリングの機能を有し、第１切れ込み２９が周方向に狭まるように周方向に圧縮されて溝２５に嵌まり、基部２７の外周縁２７ｂが溝２５の底面に環状に圧接している。
ここで、切れ込み２９ａは、内周縁２７ａから外周側に向かい放射状に広がって外周縁２７ｂで開口している。また、切れ込み２９ｂは、切れ込み２９ａの内周縁２７ａにおける開口から、軸方向他端側に垂直に連続しており、突出部２９ｂの軸方向の全範囲で内周面２８ａから外周面２８ｂに達している。
【００３８】
また、切れ込み２９ａの外周縁２７ｂにおける開口は、開口の周方向両端から伸びる膨出部３０により狭まっている。そして、膨出部３０には、支持部材８をスリーブ３に装着する際に支持部材８を保持する治具（図示せず）の一部が嵌まる穴３１が設けられ、支持部材８は、穴３１に治具の一部が嵌まった状態で治具に保持されてスリーブ３に装着される。
【００３９】
なお、支持部材８は、コイルスプリング７により軸方向一端側に付勢され、溝２５の両側面の内の軸方向一端側の側面に当接し、軸方向他端側の側面との間に軸方向の隙間を形成している。つまり、溝２５の軸方向幅は、支持部材８を装着しやすくするため、基部２７の軸方向幅に対して余裕を有するように設定されている。
【００４０】
さらに、支持部材８には、第１切れ込み２９とは別に、基部２７において内周縁２７ａから外周縁２７ｂに達することなく外周に広がる切れ込み３３ａと、突出部２８において内周面２８ａから外周面２８ｂに達する切れ込み３３ｂとが軸方向に一続きに設けられている（以下、第１切れ込み２９とは別に、一続きに設けられた切れ込み３３ａ、３３ｂを併せて第２切れ込み３３と呼ぶことがある。）。そして、突出部２８は、第１、第２切れ込み２９、３３の両方の存在により周方向に弾性を具備する。
【００４１】
これにより、突出部２８は、切れ込み２９ａ、３３ａが周方向に狭まるように周方向に圧縮されてコイルスプリング７の軸方向一端側の内周に嵌まり、外周側に張ってコイルスプリング７の軸方向一端側をガイドする。
ここで、切れ込み３３ａは、基部２７の内周縁２７ａから外周側に向かい放射状に広がり、外周縁２７ｂの内周側で広がりが止まっている。また、切れ込み３３ｂは、切れ込み３３ａの内周縁２７ａにおける開口から、軸方向他端側に垂直に連続しており、突出部２８の軸方向の全範囲で内周面２８ａから外周面２８ｂに達している。
【００４２】
また、突出部２８が凹部２４よりも小径であることから、突出部２８は、スプール４が軸方向一端側に駆動されると凹部２４内に相対的に移動し、ランド部１４ａの軸方向一端（スプール４の軸方向一端）は、基部２７に当接して更なる軸方向一端側への移動を規制される。このため、基部２７は、スプール４に対するストッパとして機能する。
【００４３】
さらに、突出部２８がコイルスプリング７の軸方向一端側の内周に嵌まることで、コイルスプリング７の軸方向一端は基部２７に当接する。このため、基部２７は、コイルスプリング７の支持座として機能する。
なお、第２切れ込み３３は２つ設けられており、突出部２８は、第１、第２切れ込み２９、３３の存在により、周方向に、第１、第２切れ込み２９、３３の総数に等しい３つに分割されている。また、第１切れ込み２９および２つの第２切れ込み３３は、支持部材８の軸心の周囲に略等角度間隔で設けられている。
【００４４】
〔実施例１の効果〕
実施例１の電磁弁１は、スリーブ３の内部でスプール４の軸方向一端側にセットされ、スプール４を軸方向他端側に付勢するコイルスプリング７と、スリーブ３の内部でコイルスプリング７の軸方向一端側に配置されてコイルスプリング７の軸方向一端を支持する支持部材８とを備える。また、支持部材８では、基部２７において内周縁２７ａから外周縁２７ｂに達する切れ込み２９ａと、突出部２８において内周面２８ａから外周面２８ｂに達する切れ込み２９ｂとが軸方向に一続きに設けられている。そして、支持部材８は、一続きに設けられた切れ込み２９ａ、２９ｂを併せた第１切れ込み２９により周方向に弾性を具備する。
【００４５】
これにより、電磁弁１の製造工程を、スリーブ３やヨーク１３等の電磁弁１の外殻体内に一旦挿入した部材の飛び出しをさほど懸念する必要がない簡素な工程にすることができる。
すなわち、例えば、ヨーク１３内にコイル５や可動鉄心６等の部材を順次に挿入してソレノイド部１１を組み立てた後、ヨーク１３にスリーブ３をかしめ固定し、その後、スリーブ３内にスプール４やコイルスプリング７等を挿入し、最後に支持部材８を周方向に弾性圧縮してスリーブ３に装着し、挿入した部材の飛び出しを防止する。
【００４６】
このため、電磁弁１の製造工程では、弁部１０およびソレノイド部１１を個別に組み立てた後、ヨーク１３にスリーブ３をかしめ固定する場合に比べて、一旦挿入した部材の飛び出しをさほど懸念する必要がないので、製造工程を簡素化できる。
【００４７】
また、支持部材８を、コイルスプリング７の支持座およびスプール４に対するストッパとして機能させることができるとともに、スプール４等の飛び出しを防止するために装着されるスナップリングとして機能させることができる。このため、例えば、特許文献２の電磁弁で必要とされたリテーナおよびスナップリングの２部品の機能を１部品で果たすことができるので、部品点数を削減することができる。
【００４８】
さらに、支持部材８の突出部２８をコイルスプリング７の軸方向一端側の内周に嵌めることで、コイルスプリング７を内周側でガイドすることができる。このため、スリーブ３やスプール４をさほど長くしなくても、電磁弁１の製造工程においてコイルスプリング７の軸方向一端側をガイドして座屈等の虞を低減することができるので、スリーブ３やスプール４の長さを抑制することができる。
【００４９】
以上により、製造工程においてスリーブ３内やヨーク１３内に挿入した部材の飛び出しを懸念する必要が低い電磁弁１に関し、部品点数を削減することができるとともに、スリーブ３やスプール４の長さを抑制しても製造工程においてコイルスプリング７をガイドすることができる。
【００５０】
また、スプール４の軸方向一端には、軸方向一端側に開口する凹部２４が設けられ、コイルスプリング７の軸方向他端は凹部２４の内側に嵌まっている。
これにより、コイルスプリング７を軸方向他端側において外周側でガイドすることができる。このため、コイルスプリング７を内、外周の両側でガイドすることができるので、さらに製造工程において座屈等の虞を低減することができる。
【００５１】
また、支持部材８には、第１切れ込み２９とは別に、基部２７において内周縁２７ａから外周縁２７ｂに達することなく外周に広がる切れ込み３３ａと、突出部２８において内周面２８ａから外周面２８ｂに達する切れ込み３３ｂとが軸方向に一続きに設けられている。そして、第１切れ込み２９とは別に、一続きに設けられた切れ込み３３ａ、３３ｂを併せた第２切れ込み３３は２つ設けられている。
これにより、突出部２８によるコイルスプリング７の軸方向一端側のガイドを、周方向に分散して均等化することができるので、コイルスプリング７をより安定してガイドすることができる。
【００５２】
〔実施例２〕
実施例２の電磁弁１によれば、図４に示すように、ランド部１４ａの軸方向一端には、軸方向一端側に突出する凸部３５が設けられ、凸部３５は、コイルスプリング７の軸方向他端側の内周に嵌まっている。
【００５３】
これにより、支持部材８をスプール４に対するストッパとして機能させる場合、軸方向に厚みを有する突出部２８によりスプール４の当接を受けることができる。このため、支持部材８の強度確保が容易になる。
なお、凸部３５は突出部２８と略同一径に設けられ、凹部２４は凸部３５よりも小径に設けられて凸部３５の軸方向一端に開口している。
【００５４】
〔実施例３〕
実施例３の電磁弁１によれば、図５に示すように、突出部２８にはコイルスプリング７を引っ掛ける突起３６が設けられている。ここで、突起３６は、例えば、突出部２８の軸方向他端の外周面２８ｂから外周側に突出する鍔状を呈するものである。そして、突起３６は、コイルスプリング７の内周側からコイルスプリング７を引っ掛けている。
これにより、コイルスプリング７が支持部材８から脱落する虞を低減することができるので、電磁弁１の組み立てをより確実に行うことができる。
【００５５】
〔変形例〕
電磁弁１の態様は、実施例１〜３に限定されず種々の変形例を考えることができる。
例えば、実施例１〜３の電磁弁１によれば、支持部材８には第２切れ込み３３が２つ設けられていたが、３つ以上の第２切れ込み３３を設けてもよく、例えば、図６に示すように５つの第２切れ込み３３を支持部材８に設けてもよい。さらに、図７に示すように、第２切れ込み３３を設けずに、第１切れ込み２９のみを設けてもよい。
また、凹部２４は、軸方向他端側が閉塞している必要がなく、例えば、スプール４の軸方向他端で開口して孔を形成してもよい。
【符号の説明】
【００５６】
１  電磁弁
２  ポート
３  スリーブ
４  スプール
５  コイル
６  可動鉄心
７  コイルスプリング
８  支持部材
２４  凹部
２７  基部
２７ａ  内周縁
２７ｂ  外周縁
２８  突出部
２８ａ  内周面
２８ｂ  外周面
２９  第１切れ込み
２９ａ  切れ込み
２９ｂ  切れ込み
３３  第２切れ込み
３３ａ  切れ込み
３３ｂ  切れ込み
３５  凸部
３６  突起
【図１】
2012225429.tif 000003
【図２】
2012225429.tif 000004
【図３】
2012225429.tif 000005
【図４】
2012225429.tif 000006
【図５】
2012225429.tif 000007
【図６】
2012225429.tif 000008
【図７】
2012225429.tif 000009